(57)【要約】  【課題】  悪臭を含んだ空気と消臭液を、効率良く混合させ、消臭効果を高め、消臭効果の低くなった消臭液を効率良く入れ替えられる空気消臭装置を提供する。  【解決手段】  フィルタ１１の上面に生成された液層１２を、フィルタ１１の下部から悪臭を含んだ空気を送風して、この空気がフィルタ１１と液層１２を通過する際に、液層１２を噴水状して水しぶきを起こさせ、空気と消臭液の接触面積を増やし、効率良く混合させる。  また、効果の低下した消臭液７を、消臭しながら入れ替えるために、液層１２が一定高さを超えた時に、消臭液７を排出する機能を有する。  【選択図】図１
2007196132.tif 000002
【特許請求の範囲】
【請求項１】
上部に清浄化された空気の排気口が開口されているとともに、側部に悪臭を含んだ空気の挿入口を有している筒型の装置本体と、前記装置本体の内部上方に挿入された消臭液を噴出するノズルと、前記ノズルの下部に配設され、細メッシュ縫製板とメッシュ多孔板とを重ねて構成され、前記消臭液を留保するフィルタと、悪臭を含んだ空気の通過により前記フィルタに留保された消臭液が噴水状態となるように、前記消臭液タンク内の消臭液を前記ノズルに供給するポンプ装置とを備えることを特徴とする空気消臭装置。
【請求項２】
請求項１に記載の空気消臭装置において、
前記フィルタに留保する前記消臭液が一定量を超えた時に、装置本体外に消臭液を排出する配管が接続されていることを特徴とする空気消臭装置。
【請求項３】
請求項２に記載の空気消臭装置において、
前記消臭液を効率良く入れ替えるために、傾斜した前記フィルタは傾斜して配設されていることを特徴とする空気消臭装置。
【発明の詳細な説明】
【技術分野】
【０００１】
本発明は、悪臭を含んだ空気を、消臭液と混合させて消臭して排出するための空気消臭装置に関する。
【背景技術】
【０００２】
従来の空気消臭装置においては、多数の小孔を有する多孔板の上面に、消臭液で生成された液層を設け、この液層の下方に送風された、悪臭を含んだ空気が液層を通り抜ける際に、消臭液と混合して消臭している。（例えば、特許文献１および特許文献２参照）
図６は特許文献１に記載された消臭装置の全体的な構成を示す。図6において、１は空気消臭装置本体、４は空気の挿入口、５は空気の排出口、６は送風機、９はポンプ装置、１２は消臭液の液層、１３は多孔板、１４は水切りフィルタ、１６は消臭液シャワー部、１７は貯水槽、１８は汲上管、１９は吐出管である。
【０００３】
このような構成において、貯水槽１７に貯えられた消臭剤が溶解している消臭液を、ポンプ装置９により、汲上管１８を介して汲み上げ、ポンプ装置９の吐き出し口に接続された吐出管１９を介して、シャワー部１６に配設された多数の噴出管（図示はしていない）に送り、噴出管は消臭液を下方にシャワー状に噴射する。噴射された消臭液７は、シャワー部１６の下方に配設され多数の小孔を有する多孔板１３の上面に、留保されて消臭液の液層１２を生成する。
【０００４】
多孔板１３は、効率良く消臭できる液層１２の高さを決め、その高さが保てるよう、小孔の総面積と多孔板の面積の比率を決めている。本従来装置では、液層の高さを１５ｍｍ以上に保つため、小孔の総面積が多孔板の面積の４５％以下にしている。
【０００５】
消臭液は、液層１２を生成すると共に、多孔板１３の小孔から落下して、多孔板１３の下方に配設された貯水槽１７に貯水される。
【０００６】
一方、悪臭を含んだ空気は、送風機６により挿入口４に吸引され、多孔板１３の小孔から落下してくる消臭液に接液して消臭しながら、多孔板１３の下方に送り込まれる。この空気が、多孔板１３の小孔を通過して、液層１２を泡状で通り抜ける際に、消臭液７と混合して消臭される。液層１２を通過した空気は、シャワー部１４より噴射された消臭液と混合され、さらに消臭され清浄化される。
【０００７】
従来装置では、この清浄化した空気は、水切りフィルタ１４を通し水分を除去して、空気の排出口５から消臭装置１の外部に排出されている。
【０００８】
本従来装置は、空気に含まれている悪臭の濃度により、悪臭空気と消臭液の接触面積を最適にするために、消臭液の噴出量を調節したり、多孔板１３の小孔の総面積を変えたり、多孔板１３を多段に配設することにより、消臭効果を高めている。
【０００９】
貯水された消臭液は、ポンプ装置９、汲上管１８、吐出管１９を介して、シャワー部１６に循環される。循環の途中、汲上管１８または、吐出管１９内に消臭剤を供給して、消臭効果を高めている。
【００１０】
図５は特許文献２に記載された消臭装置の全体的な構成を示す。図5において１、４、５、６、９、１２、１３、１４、１７、１８、１９は図６と同一構成であり、１５は消臭液供給管である。
【００１１】
特許文献１で説明した従来装置では、シャワー部１６の消臭液の噴射時の飛散水の影響により、フィルタ１４に液滴が発生して、目詰まりが多くなり、フィルタ１４の効果が低下するため、フィルタ１４の交換等が必要であった。
【００１２】
この課題を改良するために、消臭装置本体１内での消臭液の供給手段として、シャワー部１６から消臭液供給管１５に替えた例が提案されている。
【００１３】
図５において、一方が開口してある筒型の消臭液供給管１５の上端を、多孔板１３の中央表面部に嵌挿して、消臭液をポンプ装置９により、消臭液供給管１５の下端に供給する。下方から供給された消臭液は、やがて上端開口部から溢出し、多孔板１３の上面に拡流して液層１２が生成される。
【００１４】
一方、悪臭を含んだ空気は、送風機６により挿入口４に吸引され、多孔板１３の小孔から落下してくる消臭液に接液して消臭しながら、多孔板１３の下方に送り込まれる。この空気が、多孔板１３の小孔を通過して、液層１２を泡状で通り抜ける際に、前記消臭液と混合して消臭される。  従来例では、この清浄化した空気は、水切りフィルタ１６を通し水分を除去して、空気の排出口５から消臭装置１の外部に排出されている。
【００１５】
本従来装置は、空気に含んでいる悪臭の濃度により、悪臭空気と消臭液の接触面積を最適にするために、消臭液の量を調節したり、多孔板１３の小孔の総面積を変たり、多孔板１３を多段に配設することにより、消臭効果を高めている。
【００１６】
消臭液は、液層１２を生成すると共に、多孔板１３の小孔から落下して、多孔板１３の下方に配設された貯水槽１７に貯水される。貯水された消臭液は、ポンプ装置９、汲上管１８、吐出管１９を介して消臭液供給管１５に循環される。循環の途中、汲上管１８または、吐出管１９内に消臭剤を供給して、消臭効果を高めている。
【００１７】
本従来装置では、消臭液を噴射する方式でないので、飛散水はなく前記フィルタ１４に液滴が発生しないので、目詰まりはほとんどない。
【特許文献１】特開平１１−９０１６３号公報
【特許文献２】特開平２０００−１８９７４０号公報
【発明の開示】
【発明が解決しようとする課題】
【００１８】
特許文献１および特許文献２に、記載されている消臭装置では悪臭を含んだ空気と消臭液の混合は、多孔板１３を落下してくる消臭液との接触、液層１２を通過する際および、シャワー部１６から噴射された消臭液（特許文献１のみ）との接触の機会があるが、いずれも空気と消臭液の接触面積が少なく効率が悪く、消臭効果が低い問題があった。
【００１９】
更に、多孔板１３から消臭液がこぼれるので、液層の高さを保つために消臭液を多量に必要とするとか、孔の総面積を小さくすることによる風量を少なくしなければならなく、効率が悪かった。
【００２０】
消臭効果を高めるため、多孔板１３を多段にすることが考えられるが、複雑になりコストも上昇する問題があった。
【００２１】
また、消臭液の入れ替えをするためには、悪臭を含んだ空気の送風を止め、消臭液を多孔板の孔から下に流し、消臭液の入れ替えを行っており、消臭をしながらの消臭液の入れ替えは困難であった。
【００２２】
本発明は上記に鑑み、悪臭を含んだ空気と消臭液との接触面積を大きくすることにより、消臭液の効果を高めた空気消臭装置を提供することを目的とする。
【課題を解決するための手段】
【００２３】
この目的を達成するために、本発明は空気消臭装置において、ノズルより散布された消臭液を、ノズルの下方に配設された、メッシュ多孔板と細メッシュ縫製板から構成されたフィルタの上面に留保して、液層を生成し、フィルタの下部から悪臭を含んだ空気を送風して、液層の消臭液を噴水状にして激しく水しぶき起こさせ、悪臭を含む空気と消臭液との接触面積を大きくする。
【００２４】
また、最適な噴水状態を起こさせるため、フィルタ上面の液層の高さが規定量を超えないようにする。
【００２５】
さらに、効率良く消臭するために、悪臭を含む空気の風量を可能な限り多くする。
【００２６】
また、効果の低下した消臭液を、消臭しながら入れ替えるために、フィルタに傾斜を持たせる構造とする。
【発明の効果】
【００２７】
噴水状態を起こすことによって、消臭液と悪臭を含む空気との接触面積が飛躍的に大きくなり、消臭液の効果を高めることができ、消臭効果が高い。消臭液がフィルタの上部に溜まるので、消臭液は少量で済むためコストも安く済み、消臭液の補充などの手間も削減される。フィルタと噴水の高さ１５０ｍｍ程度のスペースで機能を果たすので、消臭装置のコンパクト化が可能である。
【００２８】
また、消臭液は臭い成分と結びつくため、徐々に効力が低下していく。フィルタに傾斜をつけることは、臭いのきつい空気を消臭する場合に、絶えず新しい消臭液で消臭したい時に適している。
【発明を実施するための最良の形態】
【００２９】
以下、本発明の実施の形態を図１、図2、図3、図4に基づいて説明する。
【００３０】
図1は本発明の実施例の消臭装置の全体的な構成図、図2は本発明のフィルタの構成図、図3は本発明の消臭液が噴水状になるメカニズムを説明する図、図4は本発明の別の実施例の消臭装置の全体的構成図である。
【００３１】
図１、図４において、図５、図６と同じ構成要素には同じ符号が付与されている。
【００３２】
図1、図４において、７は消臭液、８は消臭液７を貯めておくタンク、１０は消臭液を散布するノズル、１１はフィルタ、１２は消臭液７の液層である。
【００３３】
図１において、実施例の作用を説明する。
【００３４】
空気消臭装置本体1の横に消臭液７、タンク8とポンプ装置９が備えてあり、タンク８内の消臭液7はポンプ９により汲みあげられ、空気消臭装置１のノズル１０に供給され、ノズル１０は下方に消臭液７を散布する。散布された消臭液７は、前記ノズル１０の下方に配設されたフィルタ１１の上面に保留されて、消臭液７の液層１２を生成する。
【００３５】
一方、悪臭を含んだ空気は、送風機６により挿入口４に吸引され、フィルタ１１の下方に送り込まれる。この空気が、前記フィルタ１１と、前記液層１２を通過する際に、噴水状態となり、激しく水しぶきを起こし、悪臭を含んだ空気は噴水状の水しぶきを通り抜けるときに、前記消臭液７と混合して消臭される。消臭して、清浄化された空気はさらに上方に送られ、空気の排出口５から消臭装置１の外部に排出される。  
【００３６】
このとき、液層１２の高さが一定量を超えると、噴水状態が小さくなり消臭効果が減少するので、一定量に保つために、消臭液７の散布量の調整や一定量を超えると排水する機能を有している。
本実施例では液層１２の高さを２０mmを超えないように保ち、高い消臭効果を保持している。
【００３７】
図2は、本発明のフィルタ１１の構成を示す。開口率９０％程度のステレンスメッシュ多孔板２を、ナイロンなどの細メッシュ縫製板３の上部と下部に重ねた構造である。
【００３８】
上下の多孔板２は同一のもので孔位置を合わせて取り付けてある。本実施例では孔の大きさは、送風速度５〜１０m/Sでは多孔板２が網目サイズ４×８mm程度、細メッシュ縫製板3が□０．５mm程度である。多孔板２は開口率が９０％程度のものを使用しているので、従来技術と比較すると風量を多くすることができる。
【００３９】
図３は本発明の消臭液７が噴水状になるメカニズムを示している。
【００４０】
図３(a)はフィルタ１１の断面図を示す。上、下にステンレスメッシュ多孔板２、中間に細メッシュ縫製板３を重ね合わせている。
【００４１】
図３(b)はフィルタ１１上面に消臭液７を散布した状態の断面図を示す。下からの送風がないと消臭液７はフィルタ１１から漏れるため、液層１２が生成されない。
【００４２】
液層が生成されないため、フィルタ１１の清掃や交換が容易である。また、液層１２の液交換も容易である。
【００４３】
図３(c)は図３(b)に下から空気を送風した状態を示す。フィルタ１１の下側の内圧が高まり、消臭液７が細メッシュ縫製板３の上に溜まり、液層１２を生成する。また空気はフィルタ１１を通過する際、上、下の多孔板２の孔から孔（3〜5mm程度）を通過するため、直線的に上方向に進む。そのため、液層１２を突き抜ける際に噴水状態を起こす。噴水により持ち上がる消臭液７と落ちてくる消臭液７と隣接する噴水とが干渉しあい、激しく水しぶきが発生する。
【００４４】
図4は、図１の消臭装置において、フィルタ１１に傾斜を付けることにより、新しい消臭液７が傾斜している上方から噴霧され、徐々に低い方へ流れ、排出される消臭装置を示している。これによりフィルタ１１の上面の液層の循環が始まり、常に消臭効果の高い消臭液と臭いを含んだ空気が混合され、効率の良い消臭が可能となる。本実施例ではフィルタ１１の傾斜を、５度程度にすることにより、効率よく効果的な消臭効果のある消臭装置を実現している。
【図面の簡単な説明】
【００４５】
【図１】本発明の空気消臭装置の全体的な構成図。
【図２】本発明のフィルタの構成図。
【図３】本発明において、消臭液が噴水状になるメカニズムの説明図。
【図４】本発明の別の実施例の空気消臭装置の全体的構成図。
【図５】従来の空気消臭装置の全体的な構成図。
【図６】従来の別の空気消臭装置の全体的な構成図。
【符号の説明】
【００４６】
１…空気消臭装置本体、２…フィルタを構成するステンレスメッシュ多孔板、３…フィルタを構成する細メッシュ縫製板、４…空気の挿入口、５…空気の排出口、６…送風機、７…消臭液、８…消臭液を貯めておくタンク、９…ポンプ装置、１０…ノズル、１１…フィルタ、１２…液層、１３…多孔板、１４…水きりフィルタ、１５…消臭液供給管、１６…消臭液シャワー部、１７…貯水槽、１８…汲上管、１９…吐出管
【図１】
2007196132.tif 000003
【図２】
2007196132.tif 000004
【図３】
2007196132.tif 000005
【図４】
2007196132.tif 000006
【図５】
2007196132.tif 000007
【図６】
2007196132.tif 000008